(57)【特許請求の範囲】
【請求項１】
内部動作に関する設定の変更を行うための状態において音声による設定の変更の指示を文字又は単語に変換する音声認識装置と、
音声の音量及び遊技機の周囲の騒音を測定する音量測定器と、
前記音量測定器及び前記音声認識装置に接続されたマイクロホンと、
複数の設定値とこれらに対応する複数のキーワードとを予め記憶する設定値キーワードテーブル記憶部と、
前記音量測定器の出力が予め定められた閾値を超えるとき内部動作に関する設定の変更を行うための前記状態に遊技機を移行させ、前記音声認識装置の出力をキーワードとして前記設定値キーワードテーブル記憶部を検索し、前記複数の設定値から対応する設定値を抽出し、当該設定値に基づき内部動作の設定の変更を行う制御部と、を備え、
前記制御部は、
前記マイクロホンに入力があるかどうか判定する第１ステップと、
前記マイクロホンに入力があるときに、前記音量測定器で測定された音量レベルが、遊技機が設置されるホールの実際の騒音よりも大きいと考えられる１００ｄＢ乃至１２０ｄＢのいずれかに設定された閾値と比較する第２ステップと、を実行し、
前記音量レベルが前記閾値以上であるときにのみ、内部動作に関する設定の変更を行うための前記状態に遊技機を移行させ、
前記音量レベルが前記閾値より小さいときは、前記第１ステップに戻る、ことを特徴とする遊技機。
【請求項２】
時刻又は時間情報を出力するタイマーを備え、
前記設定値キーワードテーブル記憶部は、予め定められた第１時間帯と第２時間帯それぞれについて前記複数の設定値と前記複数のキーワードの対応関係を格納しており、前記対応関係は前記第１時間帯と前記第２時間帯とで異なっており、
前記制御部は、前記タイマーの出力に基づき前記第１時間帯の前記複数の設定値と前記複数のキーワードの対応関係又は前記第２時間帯の前記複数の設定値と前記複数のキーワードの対応関係のいずれかを使用して前記キーワードの検索を行い、
前記第２時間帯での前記キーワードは、前記第１時間帯での前記設定値とは逆の意味の前記設定値に割り当てられていることを特徴とする請求項１記載の遊技機。
【請求項３】
声紋認証装置を備え、前記制御部は、前記音量測定器で測定の対象とする音声又は前記音声認識装置で処理の対象とする音声について前記声紋認証装置で認証を行わせ、前記声紋認証装置の認証の結果に基づき前記状態に遊技機を移行させることを特徴とする請求項１又は請求項２記載の遊技機。
【請求項４】
前記マイクロホン又はその音声入力部は遊技機の上端に設けられていることを特徴とする請求項１乃至請求項３いずれかに記載の遊技機。
【発明の詳細な説明】
【技術分野】
【０００１】
この発明は、スロットマシン等の遊技機に関し、特に内部動作の設定変更に関するセキュリティ及び操作性を向上させたものに関する。
【背景技術】
【０００２】
スロットマシン等の遊技機において、遊技者が所定の枚数のメダルや遊技球等の遊技媒体を遊技機に投入してゲームを楽しむことができる。遊技に必要な遊技媒体は、遊技ホール内に設けられた遊技媒体貸機等で借りることができ、所望の遊技機の遊技媒体投入口に投入することによりゲームを開始することができる。
【０００３】
スロットマシンは、基本的に図柄が揃ったときに賞品としてメダルを払い出すものであるが、図柄が揃うかどうかは内部のコンピュータによる抽選の結果に従う。また、ビッグボーナス、レギュラーボーナス、小役などのさまざまな賞も内部のコンピュータによる抽選の結果に従う。抽選の処理の内容は所定の範囲内で設定の変更（以下、設定変更）が可能であり、遊技機が設置されるホールなどにおいて店側により設定作業が行われる。設定変更は、遊技機の扉を開け、電源部に設けられた設定キースイッチをオンにした後に電源スイッチをオフからオンにし、設定変更可能なモードに移行した後、設定変更スイッチを押す等の所定の操作手順により行われた。
【特許文献１】特開２００４−８９６０８号公報「遊技機及びプログラム」
【発明の開示】
【発明が解決しようとする課題】
【０００４】
従来の設定変更の手順は、上述のように遊技機の扉を開け、電源部に設けられた設定キースイッチをオンにした後に電源スイッチをオフからオンにし、設定変更可能なモードに移行した後、設定変更スイッチを押す等の手順が必要であった。その手順が多いため、遊技機が数百台も設置されているホールでは、設定変更に多大な労力が必要であった。
【０００５】
また、遊技者のごく一部に不正行為（いわゆるゴト行為）を行う者がいた。例えば、設定変更を不正に行うことにより、遊技機の設定を自己に有利なものに不正に変更する者がいた。このような不正行為を防止するために、遊技機の扉には鍵が設けられて容易に開閉できないようになっているとともに、設定変更モードにする際に鍵を必要とするようになっていた。しかし、盗んだ鍵を使うなどして設定変更を行うことがあったようである。鍵さえあれば不正な設定の変更が可能であった。不正の発覚を避けるために、不正な設定変更はごく短時間で行われているようである。
【０００６】
従来の遊技機では、鍵を持ち、所定の設定変更の手順を知っている者であれば誰でも簡単に設定変更を行うことができた。これでは、不正行為に対するセキュリティが低く、不正行為の被害に遭いやすいという問題点があった。
【０００７】
そこで、本発明は上記課題を解決するためになされたもので、設定変更に対する労力を削減するとともに、そのセキュリティを強化できる遊技機を提供することを目的とする。
【課題を解決するための手段】
【０００８】
この発明に係る遊技機は、内部動作に関する設定の変更を行うための状態において音声による設定の変更の指示を文字又は単語に変換する音声認識装置と、
音声の音量及び遊技機の周囲の騒音を測定する音量測定器と、
前記音量測定器及び前記音声認識装置に接続されたマイクロホンと、
複数の設定値とこれらに対応する複数のキーワードとを予め記憶する設定値キーワードテーブル記憶部と、
前記音量測定器の出力が予め定められた閾値を超えるとき内部動作に関する設定の変更を行うための前記状態に遊技機を移行させ、前記音声認識装置の出力をキーワードとして前記設定値キーワードテーブル記憶部を検索し、前記複数の設定値から対応する設定値を抽出し、当該設定値に基づき内部動作の設定の変更を行う制御部と、を備え、
前記制御部は、
前記マイクロホンに入力があるかどうか判定する第１ステップと、
前記マイクロホンに入力があるときに、前記音量測定器で測定された音量レベルが、遊技機が設置されるホールの実際の騒音よりも大きいと考えられる１００ｄＢ乃至１２０ｄＢのいずれかに設定された閾値と比較する第２ステップと、を実行し、
前記音量レベルが前記閾値以上であるときにのみ、内部動作に関する設定の変更を行うための前記状態に遊技機を移行させ、
前記音量レベルが前記閾値より小さいときは、前記第１ステップに戻る、ものである。
【０００９】
時刻又は時間情報を出力するタイマーを備え、
前記設定値キーワードテーブル記憶部は、予め定められた第１時間帯と第２時間帯それぞれについて前記複数の設定値と前記複数のキーワードの対応関係を格納しており、前記対応関係は前記第１時間帯と前記第２時間帯とで異なっており、
前記制御部は、前記タイマーの出力に基づき前記第１時間帯の前記複数の設定値と前記複数のキーワードの対応関係又は前記第２時間帯の前記複数の設定値と前記複数のキーワードの対応関係のいずれかを使用して前記キーワードの検索を行い、
前記第２時間帯での前記キーワードは、前記第１時間帯での前記設定値とは逆の意味の前記設定値に割り当てられている。
【００１１】
さらに、声紋認証装置を備え、前記制御部は、前記音量測定器で測定の対象とする音声又は前記音声認識装置で処理の対象とする音声について前記声紋認証装置で認証を行わせ、前記声紋認証装置の認証の結果に基づき前記状態に遊技機を移行させるようにしてもよい。
好ましくは、前記マイクロホン又はその音声入力部を遊技機の上端に設ける。
【発明の効果】
【００１５】
本発明によれば、遊技機に音声認識機能を持たせることにより、設定変更に対する労力を削減するとともに、声紋認証機能及び音量測定器を持たせることで設定変更のセキュリティを強化することができる。
【発明を実施するための最良の形態】
【００１６】
この発明の実施の形態に係る遊技機（スロットマシン）について図面を参照して説明する。
【００１７】
図１は前扉を閉めた状態を示すスロットマシンの正面図を示す。
図１において、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２の下側には、メダル投入口１３２から投入され、詰まってしまったメダルをスロットマシン１００外に強制的に排出するためのリジェクトボタン１３３が設けられている。マイクロホン（microphone：音波により動かされ，これと等価な電気出力を発生する変換器）２０６が、遊技機１００の上部（大人が立ち上がらないと届かない位置、図１の例では遊技機筐体の上面）に設けられている。マイクロホン２０６を遊技機１００の上部に設けるのは、音声により設定変更をする際に、発声者の姿勢を伸び上がらせ目立たせるためである。万一、不正行為が行われるときに、通常はとり得ない目立つ姿勢をとることを余儀なくさせることで不正行為の発見を容易にする。このように露見の可能性を高めることで不正行為を抑止することになる。このような観点から、マイクロホン２０６の取り付け位置は、平均的身長の大人が伸び上がった姿勢でようやく到達できる程度又はそれ以上の高さであって、スタートボタンやストップボタンなどを操作するときの遊技者の姿勢における顎部の位置よりも上部であることが好ましい。マイクロホン２０６は、その取り付け位置を高くすることに加えて、その音声採取の指向性をマイクロホン２０６の近傍のごく限られた狭い領域に設定することで、発声者に目立つ姿勢を確実にとらせることができるとともに、雑音等による誤作動を防止することもできる。
【００１８】
また、前記ゲーム表示部１３１の左下方には、ゲームを開始するためのスタートボタン１３４を設けてあり、３つのリールのそれぞれに対応して３つのストップボタン１４０を設けてある。前扉の下端部中央には、メダルの払出し口１３５を設けてある。
【００１９】
図２は発明の実施の形態に係るスロットマシン１００の機能ブロック図を示す。
図２において、２００、２０１はそれぞれＣＰＵ、ＲＯＭ及びＲＡＭを内蔵するメイン基板（制御部）、サブ基板である。メイン基板２００はメダルの投入、払い出し、リールの制御、当選処理などを行う。サブ基板２０１は演出表示などの処理を行う。２０２はスタートボタン１３４やストップボタン１４０、符号を付していないベットスイッチなどのスイッチからなる操作部である。２０３は三個の回転リールからなるリールユニットである。２０４はゲーム表示部１３１やリールの内部照明、液晶表示装置、スピーカなどを含む演出表示部である。演出表示部２０４により当選役や押し順の報知がなされる。２０５は各部に電源を供給する電源部である。１２１は、貯留したメダルを前扉１３０の前面に設けた払出し口１３５に１枚ずつ払い出すためのホッパ装置である。２０６は遊技機１００の上部に設けられたマイクロホンである。
【００２０】
メイン基板２００は、内部抽選及び入賞判定に使用するテーブルである抽選テーブル１（２００ａ−１）乃至抽選テーブル６（２００ａ−６）と、上記６つのテーブルから一つを選択するための設定値を記憶する設定値記憶部２００ｂと、マイクロホン２０６で入力された音声が予め登録された者（ホール店員）であるかどうか認証する声紋認証装置２００ｃ、マイクロホン２０６で入力された音声を認識してこれを文字列に変換する音声認識装置２００ｄ、複数の設定値（１〜６）とこれらに対応する複数のキーワードとを予め記憶する設定値キーワードテーブル記憶部２００ｅと、時刻又は時間情報を出力するタイマー２００ｆと、マイクロホン２０６に入力されている音声の音量を測定する音量測定器２００ｇとを含む。なお、マイクロホン２０６を起動状態とする物理的なスイッチ（電源スイッチなど）、又はマイクロホン２０６とメイン基板２００の接続をオンオフするスイッチ（入力オンオフスイッチ）を遊技機筐体の内部（例えば、従来の設定変更スイッチが設けられていた電源部２０５）に設けるようにしてもよい。通常は当該スイッチによりマイクロホン２０６をオフにしておき、設定変更する際は遊技機の前扉１３０を開けて当該スイッチをオンしなければならないようにしておけば、不正行為はさらに困難になる。セキュリティを高めるため、当該スイッチはキースイッチであることが好ましい。
【００２１】
メイン基板（制御部）２００のＣＰＵは、音量測定器２００ｇの出力が予め定められた閾値を超えるとき（大きな音声が入力されたとき）、声紋認証装置２００ｃの出力に基づき遊技機を設定変更可能な状態へ移行させ、音声認識装置２００ｄの出力をキーワードとして設定値キーワードテーブル記憶部２００ｅを検索し、複数の設定値（１〜６）から対応する設定値を抽出し、当該設定値を設定値記憶部２００ｂに書き込むことにより設定の変更を行う。声紋認証装置２００ｃ及び音量測定器２００ｇはいわば従来のキースイッチに相当し、セキュリティの向上を実現する。音声認識装置２００ｄは従来の設定スイッチに相当し、操作性の向上を実現する。
【００２２】
声紋認証装置２００ｃは公知のものである。声紋認証（voice verification）とは、声の特徴で本人確認を行う認証技術である。声紋（sound spectrogram）とは、人間の声を分析し、特徴を抽出したパターンのことである。人間の声は様々な周波数の音波の集まりで構成されており、時間、周波数、強度をグラフ化することができる。声はその人の口腔や鼻腔の構造や、声帯の大きさなどによって規定されている。このグラフは指紋のように人それぞれ異なった特徴的なパターンを描くため、「声紋」と呼ばれている。パソコンや携帯端末から本人認証を声紋認証によって行うシステムが開発されている。声紋認証を行うにはマイクロホンを用意するだけでよく、特別な機材が必要ないため、安価なバイオメトリクス認証のひとつである。
【００２３】
音声認識装置２００ｄは公知のものである。音声認識（speech recognition）とは、人間の発話の内容をコンピュータで識別する技術である。音声認識装置２００ｄは、マイクロホン２０６を通じて得た音声信号から文字又は単語を抽出し、メイン基板（制御部）２００のＣＰＵへ送り出す。
【００２４】
音量測定器２００ｇは公知の測定器である。
音量測定器２００ｇの出力がアナログ信号の場合、メイン基板２００には図示しないコンパレータと、後述の閾値に相当する電圧を発生する基準電源とを含み、音量測定器２００ｇで測定した音声のレベルが閾値を超えたとき、コンパレータがＨレベルからＬレベル（又はＬレベルからＨレベル）へ信号を変化させる。閾値よりも下がると元に戻る。この出力をそのままメイン基板２００のＩ／Ｏを通じてＣＰＵに入力する。又は、コンパレータの出力を声紋認証装置２００ｃの出力とＡＮＤゲート、ＯＲゲート、インバータなどの論理回路により合成してメイン基板へ送り出す（論理回路の構成は図４のＳ２の処理に対応する）。この信号に基づき声紋認証処理が開始され、声紋認証をパスしたという信号を受けてメイン基板２００のＣＰＵは設定変更を受け付ける。
【００２５】
音量測定器２００ｇの出力がデジタル信号の場合、その出力を直接メイン基板のＩ／Ｏを通じてＣＰＵに入力する。閾値の情報はメイン基板２００のメモリにデータとして記憶されるか、あるいはプログラムに予め規定され、閾値の判断はメイン基板２００のＣＰＵが行うことになる。
【００２６】
音量測定器は、一般に、騒音レベル及び音圧レベルを測定する計測器であり、計量法で特定計測器として指定されているものである。その測定精度については、ＪＩＳ等にその規格が定められている。なお、騒音の種類（環境騒音、作業環境騒音、工場・交通騒音、新幹線騒音、航空騒音等）によって測定の評価方法が法律によって定められているが、本発明の実施の形態においてはそのような厳密な取り扱いは不要であり、本発明の実施の形態の音量測定器は、単にマイクロホンに入力される音の大きさを測定するものであればよい。
【００２７】
音は、音波とも呼ばれるように、毎秒340mの速さで伝わる波動現象である。この波動は、空気の圧力変動（音圧）が続けざまに生じることによって発生する。人間が感じることのできる音（可聴音）の周波数帯域は、およそ20Hz〜20kHzであり、音圧の範囲は、20μPa（マイクロパスカル）〜20Pa（パスカル）である（パスカル“Pa”は圧力の単位で、1 Paは1平方メートルの面積に1 N（ニュートン）の力を加えたときの圧力に相当する）。
【００２８】
タイマー２００ｆの出力に応じて、時間帯ごとにキーワードが変更される機能を設けることもできる。例えば以下に示すように特定の時間帯（例えば、通常は設定変更が行われないが、不正行為の行われる可能性の高い営業時間中）でキーワードを変えるようにする（図３及びその説明参照）。なお、タイマー２００ｆに代えて又はこれとともに、以下のいずれかを選択するためのスイッチを遊技機の内部に設けてもよい。
（１）特定の時間帯でキーワードの文字数を多くし、複雑にする。
（２）特定の時間帯でキーワードを他の時間帯のキーワードの組み合わせとする。例えば、「第1キーワード」と「第２キーワード」を繋げる。
【００２９】
スロットマシンで遊技を楽しもうとする遊技者は、まずメダル貸機（図示しない）等から遊技媒体であるメダルを借り、メダル投入装置のメダル投入口１３２に直接メダルを入れることができる。スロットマシンの筐体の中央部及び上部には、遊技者側に向かって臨む四角窓状の表示窓１３１が形成されている。そして、この中央部の表示窓の中央には、三個の回転リールの図柄を見ることができる図柄表示窓が形成されている。スタートボタン１３４は回転リールの斜め下方に位置するレバーであって、遊技メダルの投入を条件に、リールユニット２０３の駆動を開始させる。リールユニット２０３は、ストップボタン１４０によりその駆動が停止される。リールユニットは、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００３０】
遊技機は、基本的に図柄が揃ったときにメダルを払い出すものであるが、図柄が揃うかどうかは内部のコンピュータによる抽選の結果に従う。また、ビッグボーナス（ＢＢ）、レギュラーボーナス（ＲＢ）、小役などのさまざまな賞も内部のコンピュータによる抽選の結果に従う。抽選の処理については、所定の範囲内で設定可能（当選の確率を高くしたり低くしたり）であり、遊技機が設置されるホールなどにおいて店側により設定作業が行われる。通常のスロットマシンは、ＢＢ，ＲＢ、小役等の抽選確率の異なる複数（例えば６つ）の抽選テーブル（図２の符号２００ａ−１乃至２００ａ−６）を予め備える。スロットマシンの抽選では、それら複数の抽選テーブルの中から１つが設定され、この設定された抽選テーブルに基づいて抽選による当たり／ハズレの判定がなされる。どの抽選テーブルを選択するかは、設定値記憶部２００ｂに記憶されている設定値に従う。
【００３１】
例えば、設定値＝１であれば抽選テーブル２００ａ−１が選択され、設定値＝６であれば抽選テーブル２００ａ−６が選択される。各抽選テーブルで記憶されている確率はテーブルごとに異なり、例えば抽選テーブル２００ａ−６は比較的当選しやすい高確率が記憶され、抽選テーブル２００ａ−１は低確率が記憶されている。複数の抽選テーブルのうちどれを使用するかに関する設定を変更することを、設定の変更（設定変更）と称している。
【００３２】
メイン基板１のＲＯＭには、このスロットマシン１００で実行されるゲーム処理の手順がシーケンスプログラムとして記憶されているとともに、入賞確率テーブル，シンボルテーブルおよび入賞シンボル組合せテーブル等がそれぞれ区分されて格納されている。これらのうち、入賞確率テーブルが前述の６つの抽選テーブル２００ａ−１乃至２００ａ−６に相当する。入賞確率テーブルは、図示しない乱数発生部で抽出された乱数を各入賞態様に区分けするように区分されており、乱数発生部で発生する一定範囲の数値の中から抽出される乱数を各入賞態様に区画するデータを記憶している。すなわち、入賞確率テーブルは、乱数発生器がとる乱数の全領域に対応して、各入賞態様ごとに区分された領域を有するものである。例えば、０〜一定数の範囲を複数に区分し、ひとつの区分（領域）を外れとし、他の区分（領域）を入賞１、入賞２、・・・というように設定する。抽出された乱数データは、乱数発生器から生成される乱数と対応するようにした全領域中の各入賞態様ごとに区分された入賞判定領域データそれぞれと照合し、当該抽出乱数データが属する入賞態様に対応する当選が決定される。例えば、抽出された乱数の数値が、入賞確率テーブルのどの区分（領域）に属するか調べ、その区分が例えば入賞１の区分であれば「入賞１」と判定される。同様に、抽出された乱数の数値が入賞確率テーブルの外れの区分（領域）に属すれば「外れ」と判定される。抽選処理の評価が例えば外れの場合は所定の図柄が揃わないように設定され（いわゆる蹴飛ばし）、当たりの場合はストップボタンが所定のタイミングで押下されることなどを条件に所定の図柄が揃うように設定される（いわゆる引き込み）。そして、所定の図柄が揃えば入賞図柄に相当するメダルが払い出される。各種の入賞はこのような入賞確率テーブルのデータ設定に応じた確率の下で発生し図柄の停止制御が行われるため、遊技者の技量に極端に左右されることなく、例えば１日の営業時間内でのトータル的なメダル支払い率がほぼ一定に維持されている。
【００３３】
図３を参照して設定値キーワードテーブル記憶部２００ｅの内容を説明する。記憶部２００ｅには、例えば図３（ａ）のような設定値１〜６にワード１〜６が一対一に対応するテーブルが予め記憶されている。ワード１〜ワード６として、例えば「いち」〜「ろく」という単語が登録されている。
【００３４】
図３（ｂ）は時間帯ごとにキーワードを変えて登録したテーブルを示す。例えば、時間帯１は営業時間内の午前、時間帯２は営業時間内の午後、時間帯は営業時間外とする。設定値＝１とする場合、マイクロホン２０６に向けて時間帯１ではワード１１（例えば「最低設定」）を発声し、時間帯２ではワード２１（例えば「最高設定」）を発声し（設定値＝１は最低設定を意味するが、ワード２１を敢えて逆の意味に割り当てることにより不正行為者を混乱させ、関係者以外の設定を困難にできる）、時間帯３ではワード３１（例えば「いち」）を発声する（営業時間内であればホール係員のみが作業するので簡便であることが好ましい）。
【００３５】
図３（ｃ）は時間帯ごとにキーワードを変えて登録する場合において、ひとつの時間帯のキーワードを他の時間帯のキーワードの組み合わせとした場合を示す。図３（ｃ）のようにすれば、時間帯３のキーワードを入力する必要がなく、手間を軽減できる。
【００３６】
図４〜図６を参照して、発明の実施の形態に係る遊技機の動作を説明する。
【００３７】
図４は声紋認証及び音声認識処理のフローチャートを示す。
マイクロホン２０６に入力があれば（Ｓ１でＹＥＳ）、まずその音量が予め定められた閾値よりも大きいかどうか判定する（Ｓ２）。当該音量が閾値を超えるときにのみ（Ｓ２でＹＥＳ）、次の声紋認証処理を行う（Ｓ３ａ）。閾値以上の音量で、かつ、声紋認証をパスすることが設定変更を行う前提となる。これで入力された音声が予め登録された人物のものであると判定されたとき（Ｓ３ｂでＹＥＳ）、音声認識処理を行う（Ｓ４）。音声認識処理で認識された文字又は単語をキーワードとして制御部（メイン基板２００のＣＰＵ）へ送る（Ｓ５）。
なお、音声認識させるキーワードの発生音（例えば「いち」）を対象に声紋認証も併せて行うようにすれば（つまり図４のＳ３ａ，Ｓ３ｂとＳ４を同時に実行して）、音声認識のために改めてキーワードを発声する必要がなくなる。さらに同時に音量測定させるようにすれば（つまり図４のＳ２乃至Ｓ４を同時に実行して）、音量測定・声紋認証及び音声認識を同時に行うことができ、発声が１回で済む。音声認証処理を省くこともできる。
さらに、音声認識処理（Ｓ４）で予め定められた特定のキーワードのみを受け付けるようにすれば、不用意に設定変更可能状態に切り替えられることを防止できる。
また、声紋認証又は音声認証に失敗したときはエラーを報知するようにしてもよい。営業時間内であれば、声紋認証又は音声認証に失敗したときに低確率が記憶されている抽選テーブル２００ａ−１を自動的に選択し、その後、設定変更を受け付けず他のテーブルを選択できないようにしてもよい。これは不正行為に対するペナルティになるので、不正行為の抑止につながる。
【００３８】
図５は設定変更処理のフローチャートを示す。
音声認識処理装置２００ｄからキーワードを受けると（Ｓ１０）、受けたキーワードで設定値キーワードテーブル記憶部２００ｅを検索する（Ｓ１１）。受けたキーワードがテーブルにあれば（Ｓ１２でＹＥＳ）、それに対応する設定値を抽出する（Ｓ１３）。上述の図３（ａ）の例では受けたキーワードがワード１（例えば「いち」）であれば、設定値＝１とする。その状態でスタートスイッチ１３４が押されたら（Ｓ１４でＹＥＳ）、当該設定値を確定し（Ｓ１５）、設定変更処理を終了する。スタートスイッチ１３４（又は他のスイッチ類）の押下を設定値確定の条件とするのは、誤って声紋認証・音声認識した結果が設定変更に反映されないようにするためであり、そもそも設定変更には明示的な特定の操作を係員に要求することが好ましいからである。誤って声紋認証・音声認識したときはタイムアウト（Ｓ１６でＹＥＳ）となり、設定変更を行わずに図５の処理を終了する。
【００３９】
ところで、本発明の実施の形態で一定量以上の音量を要求しているのは、小声でマイクロホンに入力したときに声紋認証が行われないようにするためである。このように一定量以上の音量を要求することで、不正行為者が設定変更する場合に大声を出させ、それを発見しやすくすることができる。大声を出すことで設定変更する者は必ず周囲に目立つようになる。ホールの人が正規に設定変更をする場合は問題ないが、不正行為者が行った場合は周囲に目立つからすぐに発見される。
【００４０】
さらに、周囲の騒音等で声紋認証が誤動作することを防ぐ意味もある。この観点から、図４のＳ２で判断する音量の「閾値」は周囲の騒音（環境騒音）の大きさに応じて定めるとよい。図６に環境騒音の種類とその大きさの例を示す。遊技機が設置されるホールの実際の騒音に合わせて閾値を選択すればよいが、例えば８０ｄＢ以上（好ましくは１００乃至１２０ｄＢ）の音圧レベルを閾値とすれば、騒音等による誤動作を防止できるとともに、大声を出させることによる不正行為の抑止という点でも十分と言える。
【００４１】
本発明の実施の形態に係る遊技機の特徴は、声紋認証による設定変更機能を搭載する点にある。これにより以下の利点が生まれる。
（１）音声により外部から設定変更が行えるため、従来の設定変更手順が大幅に削減できる。扉を開けずに設定変更が可能である。設定値ごとにキーワードを変えることで、１つの発声で設定変更が可能となる。
（２）声の大きさ及び声紋による認証を行うことで、不正な設定変更を回避できる。
（３）マイクロホンを筐体上部に設けることで、設定変更する際に目立つ体勢となり、ゴト対策が可能となる。
【００４２】
しかも、本発明の実施の形態によれば、マイクロホンに入力される音量が予め定められた閾値を超えるときにのみ声紋認証を行い、設定変更を許可するので、大声を出すことが強制され、不正行為を露見させることになるので実際上不正行為はできなくなる。本発明の実施の形態によれば不正行為の露見の可能性を高めることで不正行為を効果的に抑止することができるようになる。
【００４３】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００４４】
【図１】前扉を閉めた状態を示すスロットマシンの正面図である。
【図２】発明の実施の形態に係るスロットマシンの機能ブロック図である。
【図３】発明の実施の形態に係る設定値キーワードテーブルの説明図である。
【図４】発明の実施の形態に係る声紋認証及び音声認識処理のフローチャートを示す。
【図５】発明の実施の形態に係る設定変更処理のフローチャートを示す。
【図６】環境騒音の種類とその大きさの説明図である。
【符号の説明】
【００４５】
１    メダルセレクタ
１００    スロットマシン
１２０    スロットマシン本体
１２１    ホッパ装置
１３０    前扉
１３１    ゲーム表示部
１３２    メダル投入口
１３３    リジェクトボタン
１３４    スタートボタン
１３５    払出し口
１４０    ストップボタン
２００    メイン基板（制御部）
２００ａ−１乃至２００ａ−６  抽選テーブル
２００ｂ  設定値記憶部
２００ｃ  声紋認証装置
２００ｄ  音声認識装置
２００ｅ  設定値キーワードテーブル記憶部
２００ｆ  タイマー
２００ｇ  音量測定器
２０１    サブ基板
２０２    操作部
２０３    リールユニット
２０４    演出表示部
２０５    電源部
２０６    マイクロホン
【図１】
0004472601.tif 000002
【図２】
0004472601.tif 000003
【図３】
0004472601.tif 000004
【図４】
0004472601.tif 000005
【図５】
0004472601.tif 000006
【図６】
0004472601.tif 000007